(57)【要約】【課題】通院者の生活面での負担を軽減し、通院者本人や遠隔地で別居している子や孫の不安を解消できるシステムの提供を目的とする。【解決手段】在宅医療支援システム１は、医療施設２と、該医療施設２に通院する通院者の居住施設３と、該居住施設３に居住する通院者または商品注文者に購入商品を宅配する宅配施設とを含んでなる在宅医療支援システム１であって、居住施設３に設けた利用者端末１４に、購入希望する商品の情報を入力するための購入商品情報入力手段５と、入力された購入商品情報を送信する購入商品情報送信手段６とを備え、宅配施設４に設けた宅配端末１６に、購入商品情報送信手段６により通信回線１８を通じて送信された購入商品情報を受信する購入商品情報受信手段７を備えるとともに、居住施設３を、医療施設２と同一建物内、または通院者が通院可能な医療施設２の近所位置に設けた構成にしてある。【選択図】図１
2007323289.tif 000002
【特許請求の範囲】
【請求項１】
医療施設と、該医療施設に通院する通院者の居住施設と、該居住施設に居住する通院者または商品注文者に購入商品を宅配する宅配施設とを含んでなる在宅医療支援システムであって、居住施設に設けた利用者端末に、通院者または商品注文者が購入希望する商品の情報を入力するための購入商品情報入力手段と、前記購入商品情報入力手段により入力された購入商品情報を送信する購入商品情報送信手段とを備え、宅配施設に設けた宅配端末に、購入商品情報送信手段により通信回線を通じて送信された購入商品情報を受信する購入商品情報受信手段を備えるとともに、居住施設を、医療施設と同一建物内、または通院者が通院可能な医療施設の近所位置に設けたことを特徴とする在宅医療支援システム。
【請求項２】
購入商品情報入力手段が、通院者または商品注文者の肉声から得た音声信号を入力する音声入力手段を含み、利用者端末の中央演算処理装置または宅配端末の中央演算処理装置が音声入力手段により入力された音声から購入商品情報を認識する購入商品情報認識手段を含んでいることを特徴とする請求項１に記載の在宅医療支援システム。
【請求項３】
医療施設と、該医療施設に通院する通院者の居住施設と、前記医療施設で作成された処方箋に基づいて通院者に医薬品を宅配する宅配施設とを含んでなる在宅医療支援システムであって、医療施設に設けた医療端末に、通院者の医療施設での受診結果に基づいて作成された通院者の処方箋に関する情報を入力するための処方箋情報入力手段と、前記処方箋情報入力手段により入力された通院者の処方箋に関する情報を送信する処方箋情報送信手段とを備え、宅配施設に設けた宅配端末に、処方箋情報送信手段により通信回線を通じて送信された通院者の処方箋情報を受信する処方箋情報受信手段とを備えるとともに、医療施設を、医療施設と同一建物内、または、通院者が通院可能な医療施設の近所位置に設けたことを特徴とする在宅医療支援システム。
【請求項４】
居住施設内に、または、居住施設から通所可能な近所位置に、通院者の介護サービスを行う介護施設を設けたことを特徴とする請求項１乃至請求項３のいずれか１項に記載の在宅医療支援システム。
【請求項５】
利用者端末に、通院者の健康状態の情報を入力するための健康状態情報入力手段と、健康状態情報入力手段から入力された健康状態情報を送信する健康状態情報送信手段とを備え、医療端末に、健康状態情報送信手段により通信回線を通じて送信された健康状態情報を受信する健康状態情報受信手段とを備えたことを特徴とする請求項１乃至請求項４のいずれか一項に記載の在宅医療支援システム。
【発明の詳細な説明】
【技術分野】
【０００１】
本発明は、医療による在宅支援システムに関するものである。
【背景技術】
【０００２】
近年、病院等の医療施設に於いて医療費の削減が強く求められており、医療関係者に対し入院日数の短縮を強いて、患者は長期入院するのではなく、在宅で通院生活を送るよう迫られている。しかし、地方に住む患者、特に独居の高齢者にとっては、介護をしてくれる者もおらず、通院するにも、運行数の寡少な公共交通機関を利用し遠隔地より長時間かけて通院するといったことは、本人にとって大きな負担であり、また、都市部などで離れて暮らす子や孫といった家族にとって、非常に気がかりであった。
【０００３】
そこで、病院などの医療施設を高齢者の居住するマンションと同一敷地内に設けた高齢者向けマンションが分譲されている。このようなマンションは設備やサービスは非常に充実しているという特徴がある。また、下記に示す特許文献１には、患者の居住するマンションと医療設備を有する介護施設とを通信回線を通じて接続し、病人が発生したことを連絡する病人発生情報連絡手段を備えたシステムが開示されている。
【０００４】
【特許文献１】特開２００４−６８２４７号公報
【発明の開示】
【発明が解決しようとする課題】
【０００５】
しかしながら、上記高齢者向けマンションは、医者や看護士などの医療関係者をマンション内に２４時間体制で常駐させ、充実したサービスを提供しているために非常に運営コストがかかる。よって、マンション購入価格が非常に高額となり、かなりの高額所得者でなければ購入不可能である。また、特許文献１に示すシステムは、買い物等の活動が困難な患者にとっては生活面でのサポートが不十分である。
【０００６】
本発明は、上記した従来の問題点に鑑みてなされたものであって、通院者の生活面での負担を軽減し、通院者本人や遠隔地で別居している子や孫の不安を解消できるシステムの提供を目的とする。
【課題を解決するための手段】
【０００７】
上記目的を達成するために、本発明に係る在宅医療支援システムは、医療施設と、該医療施設に通院する通院者の居住施設と、該居住施設に居住する通院者または商品注文者に購入商品を宅配する宅配施設とを含んでなる在宅医療支援システムであって、居住施設に設けた利用者端末に、通院者または商品注文者が購入希望する商品の情報を入力するための購入商品情報入力手段と、前記購入商品情報入力手段により入力された購入商品情報を送信する購入商品情報送信手段とを備え、宅配施設に設けた宅配端末に、購入商品情報送信手段により通信回線を通じて送信された購入商品情報を受信する購入商品情報受信手段を備えるとともに、居住施設を、医療施設と同一建物内、または通院者が通院可能な医療施設の近所位置に設けた構成にしてある。
【０００８】
また、前記構成において、購入商品情報入力手段が、通院者または商品注文者の肉声から得た音声信号を出力する音声信号出力手段を含み、利用者端末の中央演算処理装置または宅配端末の中央演算処理装置が音声入力手段により入力された音声から購入商品情報を認識する購入商品情報認識手段を含んでいるものである。
【０００９】
そして、医療施設と、該医療施設に通院する通院者の居住施設と、前記医療施設で作成された処方箋に基づいて通院者に医薬品を宅配する宅配施設とを含んでなる在宅医療支援システムであって、医療施設に設けた医療端末に、通院者の医療施設での受診結果に基づいて作成された通院者の処方箋に関する情報を入力するための処方箋情報入力手段と、前記処方箋情報入力手段により入力された通院者の処方箋に関する情報を送信する処方箋情報送信手段とを備え、宅配施設に設けた宅配端末に、処方箋情報送信手段により通信回線を通じて送信された通院者の処方箋情報を受信する処方箋情報受信手段とを備えるとともに、医療施設を、医療施設と同一建物内、または、通院者が通院可能な医療施設の近所位置に設けたものである。
【００１０】
更に、前記した各構成において、居住施設内に、または、居住施設から通所可能な近所位置に、通院者の介護サービスを行う介護施設を設けたものである。
【００１１】
更に、前記した各構成において、利用者端末に、通院者の健康状態の情報を入力するための健康状態情報入力手段と、健康状態情報入力手段から入力された健康状態情報を送信する健康状態情報送信手段とを備え、医療端末に、健康状態情報送信手段により通信回線を通じて送信された健康状態情報を受信する健康状態情報受信手段とを備えたものである。  
【発明の効果】
【００１２】
本発明に係る在宅医療システムによれば、医療施設に通院する通院者の居住施設に備えた利用者端末の購入商品情報入力手段により、通院者または商品注文者が購入希望する商品の情報を入力し、入力された購入商品情報を購入商品情報送信手段により通信回線を通じて宅配施設の宅配端末に送信し、宅配端末に備えた購入商品情報受信手段により受信するので、宅配業者は受信した購入商品情報に係る商品を通院者又は商品注文者の希望する場所に配送する。よって、通院者又は商品注文者が販売施設まで出向き、希望商品を購入し家に持ち帰るといったことが困難であっても、在宅のままで容易に希望商品を購入することができる。また、通院者の居住施設を、通院者が通院可能な医療施設の近所位置に設けたので、医療施設に通院しなければならない者が容易に通院することができる。従って、医療施設への通院や、買い物という生活面での負担を軽減することができ、通院者本人は生活面での負担が軽減でき、また、遠隔地で別居している子や孫の不安を解消できる。
【００１３】
また、購入商品情報入力手段が、音声入力手段を含み、利用者端末の中央演算処理装置または宅配端末の中央演算処理装置に含まれる購入商品情報認識手段により、購入商品情報を認識する場合は、通院者または商品注文者の肉声から得た音声信号を基に宅配施設において購入商品情報を認識することができるので、パソコンのキーボード等を用いた入力操作が困難な者であっても、希望する商品の購入に関する情報を容易に入力することができ、商品を購入することができる。
【００１４】
そして、処方箋情報入力手段により通院者の処方箋に関する情報を入力し、処方箋情報送信手段により宅配施設に設けた宅配端末に、通信回線を通じて通院者の処方箋に関する情報を送信し、処方箋情報受信手段により受信する場合は、通院者が医療施設において院外処方箋を受けた際に、医療施設や居住施設等から調剤薬局等までわざわざ出向き、薬剤師の処方した医薬品を受け取るといった行為を行う必要がなく、通院者の希望する場所に医薬品を配達してもらうことが可能となり、通院者の負担が軽減される。
【００１５】
更に、居住施設内に、または、居住施設から通所可能な近所位置に、通院者の介護サービスを行う介護施設を設けた場合は、介護の必要な通院者が容易に介護施設に通うことができ、入浴や食事の支援を受けることができる。
【００１６】
更に、利用者端末に、健康状態情報入力手段と健康状態情報送信手段とを備え、医療施設に設けた医療端末に健康状態情報受信手段を備えた場合は、健康状態情報入力手段により通院者の健康状態の情報を入力し、入力された情報を健康状態情報送信手段により通信回線を通じて医療施設に送信し、送信された健康状態情報を健康状態情報受信手段により受信するので、医療施設に常駐する医療関係者が医療施設に居ながらにして居住施設にいる通院者の健康状態を把握することができ、医療施設と同一建物内、または通院者が通院可能な医療施設の近所位置に設けた通院者の居住施設にすぐに駆けつけることもでき、万一の事態が発生したときでも迅速な対応が可能である
【発明を実施するための最良の形態】
【００１７】
本発明の最良の実施形態を図面に基づいて説明する。ここに、図１は本発明の一実施形態に係る在宅医療支援システムの全体構成図である。図１において、この実施形態に係る在宅医療支援システム１は、医療施設２と、この医療施設２に通院する通院者の居住施設３と、この居住施設３に居住する通院者または商品注文者に購入商品を宅配する宅配施設４とを備えている。
【００１８】
医療施設２は医療端末１５を備え、居住施設３は利用者端末１４と、それぞれ後述する介護施設１０、看護施設３５を備え、宅配施設４は宅配端末を備えている。
【００１９】
尚、通院者とは、手術後または退院後での患者や、発病、高齢のための体調不良等、何らかの理由により病院などの医療施設に通院し治療する必要のある者であり、高齢者に限られない。また、医療施設２は、病院や診療所、在宅医療診療所及びこの在宅医療診療所の提携病院、専門医院等といった、受診の必要のある者が診察を受ける施設である。更に、居住施設３は買い取りであっても構わないが、賃貸であれば入居するための費用の負担が容易であるため好ましい。
【００２０】
図２は、居住施設３に居住する各通院者の室内に備えた利用者端末１４のブロック図である。図２に示すように、利用者端末１４は、中央演算処理装置５１、入力装置５２、表示出力装置５３、記憶装置５４、および、送受信装置５５を備えて構成されており、これら各部がデータ通信可能に接続されている。この利用者端末１４は、たとえば、パーソナルコンピュータや家庭用のゲーム機、あるいは、携帯電話やカーナビゲーション等の移動体通信手段によって実現することができる。
【００２１】
この利用者端末１４の中央演算処理装置５１は、それぞれ後述する音声信号処理手段２０と、購入商品情報認識手段９と、利用者端末制御手段２６とを備えて構成されている。
【００２２】
また、入力装置５２としては、キーボード、マウス、および、マイク、カメラ等を用いることができる。この他、利用者端末１４がゲーム機として実現された場合の入力装置５２としては、キーボードやマウスに代えて、ゲーム機用のコントローラを用いることができる。また、表示出力装置５３としては、モニタ（家庭用テレビを含む）の他、スピーカを用いることができる。
【００２３】
このように構成された利用者端末１４は、モデム、ＴＡ、ルータ等の通信装置と電話回線あるいは専用線といった通信回線１８を通じてネットワークに接続されており、所定の通信規約（たとえば、ＴＣＰ／ＩＰインターネットプロトコル）に従って医療端末１５及び／または宅配端末１６と情報の送受信をすることができる。なお、これら利用者端末１４と、医療端末１５及び／または宅配端末１６を接続するネットワークとしては、上述したインターネットに限られず、任意のネットワークを利用することができる。
【００２４】
利用者端末１４の表示出力装置５３は、テレビなどの出力機器（モニタ）の画面上に宅配可能な商品に関する情報等を表示出力する商品情報表示出力手段２１を備えている。
【００２５】
そして、入力装置５２は、通院者または商品注文者が商品情報表示出力手段２１によりテレビなどに表示出力された商品から購入希望する商品を選択し、この購入希望する商品の情報を入力するための購入商品情報入力手段５を備えている。ここで、商品注文者とは、購入を希望する商品を注文する者であり、通院者と同一人物であってもよく、通院者の家族や知人など、別人であってもよい。
【００２６】
購入商品情報入力手段５は、マイクロフォン等によって、通院者または商品注文者の肉声から得た音声を入力する音声入力手段１９を備えている。
【００２７】
また、入力装置５２は、通院者の血圧、脈拍数等の健康状態に関する情報を入力する健康状態情報入力手段１１を備えている。健康状態情報入力手段１１は、マイクロフォン等の音声を入力するための音声入力手段１９と、カメラなどの画像を入力するための画像入力手段３６を備え、音声入力手段１９は健康状態に関する情報が音声により入力され、画像入力手段３６は撮影された通院者本人の顔の画像等が入力される。また、キーボード等によるデータ入力や検出機器により検出したデータの通信入力を行うこともできる。
【００２８】
利用者端末１４の中央演算処理装置５１は、音声入力手段１９により入力された音声をデジタル信号に変換処理する音声信号処理手段２０と、処理された音声信号から購入商品情報を認識する購入商品情報認識手段９を備えている。また、上述した利用者端末１４における各手段５，９，１１，２０，２１、及び後述する各手段６，１２，１７，２２を制御する利用者端末制御手段２６を有する。
【００２９】
記憶装置５４は購入商品情報入力手段５により入力された購入商品情報を記憶する購入商品情報記憶手段１７を備え、健康状態情報入力手段１１により入力された通院者の健康状態を記憶する健康状態情報記憶手段２２を備えている。
【００３０】
送受信装置５５は購入商品情報入力手段５により入力された購入を希望する商品及び購入申し込みを行う通院者または商品注文者の情報を通信回線１８を通じて宅配施設４に設けた宅配端末１６に送信する購入商品情報送信手段１２と、健康状態情報入力手段１１により入力された通院者の健康状態情報を通信回線を通じて医療施設２に送信する健康状態情報送信手段１２を備えている。
【００３１】
通院者の介護サービスを行う介護施設１０は、居住施設３と同一建物内の例えば１階部分、または居住施設3と同一敷地内の別の建物内または居住施設３から通所可能な居住施設３の近所位置に設け、また、居住施設３から徒歩により通所可能な居住施設３の近所位置に設けることが好ましい。通院者の通院可能な医療施設２の近所位置とは、介護施設４と居住施設３との距離が約５ｋｍ以内の位置であり、通院者の徒歩により通所可能な近所位置とは同距離が約１ｋｍ以内であり、通院者の徒歩による所要時間が約１０分程度の範囲内の位置である。
【００３２】
約５ｋｍ以内であれば、通院者が居住施設３から容易に通所できる範囲内であり、約１ｋｍ以内であれば電車、バス、車又は自転車等の交通手段を利用したり、又、ヘルパーなどが車などにより送迎しなくても通院できるからである。
【００３３】
ここで、介護サービスとは、いわゆるディサービス等の高齢者の入浴、食事、娯楽活動や機能訓練等を支援し、高齢者同士が触れ合い、趣味を楽しめるよう補助することをいい、斯かるサービスを行う場を介護施設１０といい、いわゆるディサービスセンター等のことである。
【００３４】
また、居住施設３内には、例えば１階部分に看護士が日勤で又は２４時間体制で常駐している訪問看護ステーション等の看護施設３５を設けてもよく、車椅子を利用する通院者や患者が容易に移動できるよう設備を整えてもよい。更に、各通院者の室内の清掃や通院者の室内での食事の支援を行う支援施設を居住施設内又は外部に独立して設けてもよい。
【００３５】
図３は、医療施設２に備えた医療端末１５のブロック図である。図３に示すように、医療端末１５は、上述の利用者端末１４と同様、中央演算処理装置５１、入力装置５２、表示出力装置５３、記憶装置５４、および、送受信装置５５を備えて構成されており、これら各部がデータ通信可能に接続されている。医療端末１５は、上述した利用者端末１４と同様の機器によって実現することができる。
【００３６】
医療端末１５は、居住施設３から送信された通院者の健康状態情報の受信に関し、以下の各手段を備える。即ち、送受信装置５５は、健康状態情報送信手段１２により通信回線１８を通じて送信された健康状態情報を受信する健康状態情報受信手段１３を備え、記憶装置５４は受信した通院者の健康状態情報を記憶する健康状態情報記憶手段２７を備え、表示出力装置５３は健康状態情報記憶手段２７に記憶された現在の通院者の健康状態に関する情報、または過去の履歴データに関する情報等を出力する健康状態情報出力手段２８を備え、中央演算処理装置５１は上記各手段１３，２７，２８を制御する医療端末制御手段２９を備えている。
【００３７】
また、医療施設２の医療関係者が、通院者の医療施設２での受診結果に基づいて作成した処方箋に関する情報が医療端末１５に入力され、通信回線を通じて医薬品を宅配している調剤薬局など宅配施設４に送信され、宅配施設４において受信されるために医療端末１５は以下の構成を有する。
【００３８】
即ち、入力装置５２は、通院者の医療施設２での受診結果に基づいて作成された通院者の処方箋に関する情報を入力するための処方箋情報入力手段２３を備え、記憶手段５４は入力された通院者の処方箋情報を記憶する処方箋情報記憶手段３３を備え、送受信装置５５は処方箋情報入力手段２３により入力された通院者の処方箋に関する情報を通信回線１８を通じて調剤薬局等の、医療施設２において作成された処方箋に基づいて医薬品を処方し、処方した医薬品を通院者の希望する場所に宅配する宅配施設４に設けられた宅配端末１６に送信する処方箋情報送信手段２４を備えている。
【００３９】
居住施設３と医療施設２とは同一建物内にあってもよく、別の建物内にあってもよい。また、別の建物内に独立してある場合は、両建物が同一敷地内にあってもよく別の敷地内であってもよい。両施設が別の敷地内にある場合、通院者が通院可能な医療施設２の近所位置に居住施設３を設けることが好ましく、通院者が徒歩により、通院可能な医療施設２の近所位置に居住施設３を設けることがより好ましい。通院者が通院可能な医療施設２の近所位置とは、医療施設２と居住施設３との距離が約５ｋｍ以内の位置であり、通院者が徒歩により通院可能な近所位置とは同距離が約１ｋｍ以内であり、通院者の徒歩による所要時間が約１０分程度の範囲内の位置である。約５ｋｍ以内であれば、通院者が居住施設３から容易に通院できる範囲内であり、約１ｋｍ以内であれば電車、バス、車又は自転車等の交通手段を利用しなくても通院できるからである。
【００４０】
図４は、宅配施設４に備えた宅配端末１６のブロック図である。図４に示すように、宅配端末１６は、上述の利用者端末１４、医療端末１５と同様、中央演算処理装置５１、入力装置５２、表示出力装置５３、記憶装置５４、および、送受信装置５５を備えて構成されており、これら各部がデータ通信可能に接続されている。宅配端末１６は、上述した利用者端末１４と同様の機器によって実現することができる。
【００４１】
宅配端末１６が、居住施設３の利用者端末１４から送信された購入商品情報の受信に関し、以下の構成を有する。即ち、送受信装置５５は、通院者または商品注文者によって利用者端末１４の購入商品情報送信手段６から通信回線１８を通じて送信された、購入を希望する商品に関する情報を受信する購入商品情報受信手段７を備え、記憶装置５４は、受信した購入商品情報を記憶する購入商品情報記憶手段３０を備え、表示出力装置５３は、記憶した商品購入情報をモニタなどに出力する購入商品情報出力手段３１を備え、中央演算処理装置５１は、これらの各手段７，３０，３１及び後述する各手段２５，３３，３４を制御する宅配端末制御手段３２を備えている。
【００４２】
また、医療施設２から送信された処方箋情報の受信に関し、以下の構成を有する。即ち、送受信装置５５は、処方箋情報送信手段２４により通信回線を通じて送信された通院者の処方箋情報を受信する処方箋情報受信手段２５を備え、記憶装置５４は、受信された処方箋情報を記憶する処方箋情報記憶手段３３を備え、表示出力装置５３は、記憶した処方箋情報をモニタなどに出力する処方箋情報出力手段３４を備えている。
【００４３】
引続き、在宅医療支援システムの動作につき、以下に説明する。
通院者または商品注文者は利用者端末１４の購入商品情報入力手段５に備えた音声入力手段１９から、肉声から得た音声信号により購入を希望する商品に関する情報を入力し、この入力された音声信号を音声信号処理手段２０によりデジタル信号に変換処理し、購入商品情報認識手段９によって購入商品情報を認識する。また、認識した購入商品情報を購入商品情報記憶手段１７に記憶する。
【００４４】
この記憶された購入商品情報及び利用者端末１４に予め入力しておいた通院者または商品注文者に関する情報は購入商品情報送信手段６により通信回線１８を通じて宅配施設４に設けた宅配端末１６に送信され、購入商品情報受信手段７に受信され、宅配端末１６の購入商品情報記憶手段３０に記憶され、購入商品情報出力手段３１により宅配端末１６のモニタなどに表示出力される。
【００４５】
宅配施設４の宅配業者は、表示された購入商品及び通院者または商品注文者に関する情報に基づいて、購入希望商品を通院者又は商品注文者の希望する場所に配送する。また、宅配業者は確認のため注文を受け付けた事実等の情報を宅配端末１６の入力装置５２により入力し、購入商品情報の送信を行った利用者端末１４に通信回線１８を通じて送信してもよい。
【００４６】
以上より、通院者又は商品注文者が販売施設まで出向き、希望商品を購入し家に持ち帰るといったことが困難であっても、在宅のままで容易に希望商品を購入することができる。
【００４７】
また、購入商品情報認識手段９により通院者または商品注文者の肉声から得た音声信号を認識するので、パソコンのキーボードによる入力などといったの端末装置の操作が困難な者であっても、通信回線１８を通じて容易に希望する商品を発注し購入することができる。
【００４８】
また、通院可能な医療施設２の近所位置に通院者の居住施設３を設けたので、通院者は容易に通院することができる。従って、通院者は医療施設２への通院や、買い物という生活面での負担が軽減され、生活が容易となり、また、遠隔地で別居している子や孫の不安を解消することができる。
【００４９】
更に、当然ながら、医療施設２は通常の医療業務を行うので、居住施設３の分譲又は賃貸の費用を低く抑える。即ち、高齢者用マンションのように、医者をマンションに居住する高齢者のためだけに、マンション内に２４時間体制で常駐させているといったことがないので、高額な運営コストがかからない。よって、通院者が年金による収入のみの者であっても、本形態のシステムを利用することが可能である。また、公的な団体等の補助金制度等を利用できれば費用を更に低くできる。
【００５０】
更に、通院者は居住施設３内に、または、居住施設３から通所可能な近所位置に設けられた介護施設１０において各種介護サービスを受ける。介護施設１０は居住施設３から通所可能な居住施設３の近所位置に設けたので、容易に各種の介護サービスを受けることができる。更に、介護施設１０が、居住施設３内または居住施設３から徒歩により通所可能な居住施設３の近所位置に設けた場合には、通院者の介護施設１０までの移動の際に車などによる送迎が不要であり、移動に要する時間がほとんどかからず、時間もコストも節約できる。
【００５１】
通院者または同居人等は利用者端末１４の健康状態情報入力手段１１から通院者自身の健康状態に関する情報を定期的に、又は具合が特に悪くなったとき等は不定期に入力し、健康状態情報送信手段１２により医療施設２の医療端末１５に通信回線１８を通じて送信し、医療端末１５の健康状態情報受信手段１３により受信し、健康状態情報記憶手段２７に記憶し、健康状態出力手段２８により出力する。
【００５２】
医療施設２の医者、看護士等の医療関係者は新たに受信し記憶した通院者の健康状態に関する情報及び過去の所定期間における通院者の健康状態情報の履歴データに基づいて、通院者の健康状態を把握し、現在の通院者の健康状態が良好か否か判断する。そして、通院者の健康状態が思わしくない場合には電話等により通院者に直接健康状態の確認を行うか、または居住施設３の通院者の居住する部屋に往診する。
【００５３】
以上より、医療施設２に常駐する医療関係者は医療施設２に居ながらにして居住施設３に居る通院者の健康状態を把握することができ、医療施設２と同一建物内、または通院者が通院可能な医療施設２の近所位置に設けた通院者の居住施設３にすぐに駆けつけることもでき、万一の事態が発生したときでも迅速な対応が可能である。
【００５４】
医療施設２の医療端末１５から通院者の処方箋に関する情報を送信し、宅配施設４の宅配端末１６においてこの処方箋情報を受信する際には、医療端末１５の処方箋情報入力手段２３により通院者の処方箋に関する情報が医療関係者により入力され、処方箋情報送信手段２４により通信回線１８を通じて宅配施設４に設けられた宅配端末１６に送信され、処方箋情報受信手段２５において受信される。
【００５５】
宅配端末１６は、受診した通院者の処方箋に関する情報を処方箋情報記憶手段３３に記憶し、記憶した処方箋情報を処方箋情報出力手段３４により出力する。宅配施設４の薬剤師等は出力されたこの処方箋に関する情報に基づいて医薬品を処方し、通院者の希望する場所に処方した医薬品を配送する。
【００５６】
これにより、通院者が医療施設２において院外処方箋を受けた際に、医療施設２や居住施設３等から調剤薬局等までわざわざ出向き、処方箋に基づいて薬剤師などにより処方された医薬品を受け取るといった行為を行う必要がなく、通院者の希望する場所に医薬品を配達してもらうことが可能となり、通院者の負担が軽減される。
【００５７】
尚、上記の実施形態では、購入商品情報認識手段９は利用者端末１４の中央演算処理装置５１に設けたが、宅配端末１６の中央演算処理装置５１に設けてもよい。
【図面の簡単な説明】
【００５８】
【図１】本発明の一実施形態に係る在宅医療支援システムの全体構成図である。
【図２】前記在宅医療支援システムの利用者端末のブロック図である。
【図３】前記在宅医療支援システムの医療端末のブロック図である。
【図４】前記在宅医療支援システムの宅配端末のブロック図である。
【符号の説明】
【００５９】
１  在宅医療支援システム
２  医療施設
３  居住施設
４  宅配施設
５  購入商品情報入力手段
６  購入商品情報送信手段
７  購入商品情報受信手段
９  購入商品情報認識手段
１０  介護施設
１１  健康状態情報入力手段
１２  健康状態情報送信手段 
１３  健康状態情報受信手段
１４  利用者端末
１５  医療端末
１６  宅配端末
１８  通信回線
１９  音声入力手段
２３  処方箋情報入力手段
２４  処方箋情報送信手段
２５  処方箋情報受信手段
５１  中央演算処理装置
【図１】
2007323289.tif 000003
【図２】
2007323289.tif 000004
【図３】
2007323289.tif 000005
【図４】
2007323289.tif 000006